(57)【要約】【課題】略同じ使用感の２つの捕球具を安価に提供でき、しかもＢ級部分を用いて製作した捕球具を販売することに対する販売店側の抵抗感を軽減し得る野球用捕球具セットを提供する。【解決手段】本革のうちの不良箇所を有しないＡ級部分を用いてなる試合用捕球具２と、本革のうちの不良箇所を有するＢ級部分を用いてなる、試合用捕球具２と略同一形状で、略同一寸法の練習用捕球具３とを備えた。【選択図】図１
0003201479.tif 000002
【実用新案登録請求の範囲】
【請求項１】
本革のうちの不良箇所を有しないＡ級部分を用いてなる試合用捕球具と、
本革のうちの不良箇所を有するＢ級部分を用いてなる、前記試合用捕球具と略同一形状で、略同一寸法の練習用捕球具と、
を備えたことを特徴とする野球用捕球具セット。
【請求項２】
前記練習用捕球具における少なくとも受球面を本革で構成し、それ以外の部分の少なくとも一部を人工皮革で構成した請求項１記載の野球用捕球具セット。
【請求項３】
前記練習用捕球具を構成する本革部分の表面に、不良箇所をカムフラージュする模様部を設けた請求項１又は２記載の野球用捕球具セット。
【請求項４】
前記練習用捕球具に、その受球面を覆う保護シートを取り換え可能に設けた請求項１〜３のいずれか１項記載の野球用捕球具セット。
【請求項５】
前記試合用捕球具と練習用捕球具とを１セットとして収容する収容箱を設けた請求項１〜４のいずれか１項記載の野球用捕球具セット。
【考案の詳細な説明】
【技術分野】
【０００１】
本考案は、試合用と練習用の野球用捕球具セットに関する。
【背景技術】
【０００２】
金銭的に余裕のあるプロの野球選手では、同一構成の複数の捕球具を保有することも可能であるが、金銭的に余裕のない学生の野球選手では、通常は、試合時と練習時とで使い分けることなく、１つの捕球具を３年間使用したり、試合用の高価な捕球具とは異なる構成の安価な練習用の捕球具を購入して、試合用と練習用とで捕球具を使い分けたりしている。
【０００３】
しかし、試合時と練習時とで捕球具を使い分けることなく、１つの捕球具を３年間使用する場合には、練習を重ねることで捕球具を自分に合った形に作ることになるが、一番使い良い自分に合った形が仕上がっても、激しい練習などで、良好な状態を長く保つことができないという問題があった。また、試合用と練習用とで捕球具を使い分ける場合であっても、試合用と練習用とで捕球具の構成が異なると、捕球具の使用感が変動し、試合において練習の成果を十分に発揮できないという問題があった。
【０００４】
一方、野球用の捕球具は、牛や馬や豚などの動物の本革を用いて製作されるが、本革には小さな傷や色むらやシワなどの不良箇所があるので、本革のうちの不良箇所のないＡ級部分を用いて捕球具を製作し、本革のうちの不良箇所を含むＢ級部分は別の用途に使用されていた。また、本革として、不良箇所の殆どない１級品であれば、１枚の本革の全てを利用して捕球具のパーツを裁断できるので、歩留まりはよいが、不良箇所の多数ある２級品や３級品では、歩留まりが悪くなるという問題があった。
【０００５】
本出願人は、別の用途に使用される本革のＢ級部分を有効活用すべく、鋭意検討した結果、Ｂ級部分を用いて製作した捕球具であっても、耐久性や使用感などの機能面に関して、全く問題なく使用することが可能で、また捕球具は、その使用過程で表面に多数の傷が付くことから、前述のような不良箇所は、結局は捕球具の販売時だけの見た目だけの問題であるとの発想に基づいて、特許文献１において、従来、捕球具として使用できなかった、本革のＢ級部分に対して、型押しにより模様を付けて不良箇所が目立たないようにすることで、本革のＢ級部分を有効活用してなる野球用捕球具を提案した。
【先行技術文献】
【特許文献】
【０００６】
【特許文献１】実開平０３−５６４７５号公報
【考案の概要】
【考案が解決しようとする課題】
【０００７】
しかし、本革のＢ級部分を用いた捕球具は、本革の無駄を少なくして、製作コストを安くできるものの、捕球具を販売する販売店側からすると、不良品を顧客に提供している感があることから、市場になかなか受け入れてもらえなかった。
【０００８】
本考案の目的は、略同じ使用感の２つの捕球具を安価に提供でき、しかもＢ級部分を用いて製作した捕球具を販売することに対する販売店側の抵抗感を軽減し得る野球用捕球具セットを提供することである。
【課題を解決するための手段】
【０００９】
本考案に係る野球用捕球具セットは、本革のうちの不良箇所を有しないＡ級部分を用いてなる試合用捕球具と、本革のうちの不良箇所を有するＢ級部分を用いてなる、前記試合用捕球具と略同一形状で、略同一寸法の練習用捕球具とを備えたものである。
【００１０】
この野球用捕球具セットでは、本革のうちの小さな傷や色むらやシワなどの不良箇所を有するＢ級部分を有効活用して、練習用捕球具を製作するので、試合用捕球具を２個製作する場合と比較して、製作コストを大幅に安くできるとともに、本革の廃棄処分する部分を極力少なくして、資源を有効活用できる。しかも、練習用捕球具と試合用捕球具の形状及び寸法を略同じに設定しているので、練習用捕球具の使用感を試合用捕球具と略同じにすることができる。このため、金銭的に余裕のない野球選手であっても、略同じ使用感の試合用と練習用の捕球具を比較的容易に購入することが可能となり、練習時の力を試合で十分に発揮することができる。また、Ｂ級部分を用いて製作した捕球具を練習用とし、Ａ級部分を用いて製作した捕球具を試合用として、２つの捕球具をセット販売することで、Ｂ級部分を用いて製作した捕球具のみを販売する場合と比較して、販売店側の抵抗感を軽減できる。
【００１１】
ここで、前記練習用捕球具における少なくとも受球面を本革で構成し、それ以外の部分の少なくとも一部を人工皮革で構成することが好ましい実施の形態である。本考案では、受球面を本革で構成しているので、捕球時における感触を試合用捕球具と同じにできる。また、受球面以外の少なくとも一部を人工皮革で構成しているので、練習用捕球具と試合用捕球具とを明確に区別することが可能となり、両者の混同を防止する上で好ましい。更に、人工皮革部分は傷や色むらやシワなどの不良箇所がないので、不良箇所による捕球具の意匠性の低下を防止できるとともに、練習用捕球具の製作コストを安くできるので好ましい。
【００１２】
前記練習用捕球具を構成する本革部分の表面に、不良箇所をカムフラージュする模様部を設けることも好ましい実施の形態である。具体的には、本革に小さな傷や色むらやシワなどの不良箇所がある場合には、該不良箇所を含むように、本革表面に対して全面的或いは部分的に印刷や型押しによりなる模様部を設け、該模様部により不良箇所を隠したり、目立たないようにしたりすることができる。
【００１３】
前記練習用捕球具に、その受球面を覆う保護シートを取り換え可能に設けることが好ましい実施の形態である。練習用捕球具は、日々の練習で酷使され、その受球面は他の部分と比較して破れや摩耗などの損傷が発生し易いので、保護シートを取り付けて使用することで、破れや摩耗などの損傷を防止することが好ましい。また、保護シートを取り換え可能に構成して、保護シートに損傷が発生する毎に該保護シートを交換することで、練習用捕球具の受球面を長期にわたって綺麗な状態に維持できる。
【００１４】
前記試合用捕球具と練習用捕球具とを１セットとして収容する収容箱を設けることが好ましい実施の形態である。試合用捕球具と練習用捕球具とは別個の収容箱に収容して販売することも可能であるが、試合用捕球具と練習用捕球具とを１セットとして収容する収容箱を設けると、セット販売するときの取扱性を向上できる。
【考案の効果】
【００１５】
本考案に係る野球用捕球具セットによれば、本革のうちの小さな傷や色むらやシワなどの不良箇所を有するＢ級部分を有効活用して、練習用捕球具を製作するので、試合用捕球具を２個製作する場合と比較して、製作コストを大幅に安くできるとともに、本革の廃棄処分する部分を極力少なくして、資源を有効活用できる。しかも、練習用捕球具と試合用捕球具の形状及び寸法を略同じに設定しているので、練習用捕球具の使用感を試合用捕球具と略同じにすることができる。このため、金銭的に余裕のない野球選手であっても、略同じ使用感の試合用と練習用の捕球具を比較的容易に購入することが可能となり、練習時の力を試合で十分に発揮することができる。また、Ｂ級部分を用いて製作した捕球具を練習用とし、Ａ級部分を用いて製作した捕球具を試合用として、２つの捕球具をセット販売することで、Ｂ級部分を用いて製作した捕球具のみを販売する場合と比較して、販売店側の抵抗感を軽減できる。
【図面の簡単な説明】
【００１６】
【図１】野球用捕球具セットの背面図
【図２】試合用捕球具の背面図
【図３】試合用捕球具の正面図
【図４】練習用捕球具の背面図
【図５】練習用捕球具の正面図
【図６】Ｂ級部分を含む本革の裁断前の平面図
【図７】練習用捕球具の受球面を構成する模様部を形成したパーツの平面図
【図８】練習用捕球具の受球面を構成する他の模様部を形成したパーツの平面図
【図９】保護シートを取り付けた練習用捕球具の正面図
【考案を実施するための形態】
【００１７】
以下、本考案の実施の形態について図面を参照しながら説明する。
図１〜図５に示すように、野球用捕球具セット１は、本革のうちの小さな傷や色むらやシワなどの不良箇所を有しないＡ級部分を用いてなる試合用捕球具２と、本革のうちの不良箇所を有するＢ級部分を用いてなる、試合用捕球具２と略同一形状で、略同一寸法の練習用捕球具３とを備え、試合用捕球具２と練習用捕球具３の２個の捕球具を１セットとして収容箱４に収容したものである。なお、本考案は、図２〜図５に示す試合用捕球具２や練習用捕球具３以外の任意の外観形状や縫製構造の捕球具に対しても適用でき、例えばキャッチャーミットなどに対しても適用できる。
【００１８】
捕球具２、３を構成する本革としては、牛や馬や豚などの動物の革を採用することができる。牛革を採用する場合には、例えば不良箇所を有しない１級品の牛革では、その全面を、捕球具を構成するパーツとして利用して、１枚の牛革で４〜５個の捕球具のパーツを裁断できる。しかし、小さな傷や色むらやシワなどの不良箇所のある２級品や３級品の牛革では、例えば図６に示す牛革１０のように、不良箇所としての色むら５を避けてパーツ１１、１２を裁断する関係上、１枚の牛革１０から裁断可能なパーツ１１、１２の歩留まりが低下する。しかし、色むら５を有する牛革１０のＢ級部分であっても、不良箇所を有しないＡ級部分と同様に鞣すと、耐久性や使用感に関してはＡ級部分と遜色のない同等の品質のものとなる。そこで、本考案では、このＢ級部分で、練習用捕球具３のパーツ１１Ｂ、１２Ｂを製作して、牛革１０の無駄を極力少なくし、野球用捕球具セット１の製作コストを安くすることになる。
【００１９】
図２、図３に示すように、試合用捕球具２は、本革のうちの不良箇所を有しないＡ級部分を所定形状に裁断して縫製することにより製作した、一般的な構成のものである。
【００２０】
図４、図５に示すように、練習用捕球具３は、少なくとも受球面３ａを試合用捕球具２と同種の動物の本革であって、小さな傷や色むらやシワなどの不良箇所を有するＢ級部分の本革で構成し、それ以外の部分の少なくとも一部（図４、図５に網点で図示）を人工皮革からなる人工皮革部３ｂで構成し、試合用捕球具２と略同一形状、略同一寸法に構成して、試合用捕球具２の使用感と略同じ使用感となるように構成したものである。
【００２１】
人工皮革部３ｂは、練習用捕球具３の受球面３ａ側とは反対側の外面側に設けられている。この練習用捕球具３の外面側は、外部に露出する面なので、人工皮革で構成することで、不良箇所が露出することによる見栄性の低下を防止するように構成されている。ただし、人工皮革部３ｂの配設位置は任意に設定可能である。また、人工皮革部３ｂを省略して、練習用捕球具３全体を、Ｂ級部分を有する本革で構成することも可能である。
【００２２】
収容箱４は、段ボールなどの厚紙で構成した一般的なものである。ただし、試合用捕球具２と練習用捕球具３とは、樹脂製の収容箱４に収容したり、布などの袋に収容したりするなど、任意の包装形態でセット販売することが可能である。また、試合用捕球具２と練習用捕球具３とを別個に箱詰めして、セット販売することも可能である。
【００２３】
この野球用捕球具セット１では、本革のうちの小さな傷や色むらやシワなどの不良箇所を有するＢ級部分を有効活用して、練習用捕球具３を製作するので、試合用捕球具２を２個製作する場合と比較して、製作コストを大幅に安くできるとともに、本革のうちの廃棄処分する部分を極力少なくして、資源を有効活用できる。しかも、練習用捕球具３の形状及び寸法を試合用捕球具２と略同じに設定しているので、練習用捕球具３の使用感を試合用捕球具２と略同じにすることができる。このため、金銭的に余裕のない野球選手であっても、略同じ使用感の試合用と練習用の捕球具を比較的容易に購入することが可能となり、練習時の力を試合時に十分に発揮することができる。また、Ａ級部分を用いて製作した捕球具２を試合用とし、Ｂ級部分を用いて製作した捕球具３を練習用として、２つの捕球具２、３をセット販売することで、Ｂ級部分を用いて製作した捕球具３のみを販売する場合と比較して、販売店側の抵抗感を軽減できる。更に、練習用捕球具３における少なくとも受球面３ａを本革で構成しているので、捕球時における感触を試合用捕球具２と同じにできる。更にまた、受球面３ａ以外の少なくとも一部を人工皮革部３ｂで構成しているので、試合用捕球具２と練習用捕球具３とを明確に区別することが可能となり、両者の混同を防止する上で好ましい。また、人工皮革部３ｂは傷や色むらやシワなどの不良箇所がないので、不良箇所による練習用捕球具３の意匠性の低下を防止できるとともに、練習用捕球具３の製作コストを安くできるので好ましい。
【００２４】
ここで、図７に示すように、練習用捕球具３の受球面３ａを構成するパーツ１１Ｂの表面に六角形の模様を点在させて設けたり、図８に示すように、六角形の網目からなる模様を形成したりして、該パーツ１１Ｂの不良箇所をカムフラージュするように構成してもよい。ただし、受球面３ａ以外のパーツに模様を形成することも可能である。また、模様としては、六角形以外の多角形やドットや十文字、丸やハート形状や星形状など、任意の模様を設けることができる。更に、パーツの全表面に模様を形成してもよいし、不良箇所を含む所望の領域に模様を形成してもよい。更にまた、模様の形成方法としては、型押しにより形成することもできるし、プリントにより形成することもできる。このように、模様を形成すると、不良箇所を隠したり、目立たないようにしたりできるので、練習用捕球具３の品質を向上できる。
【００２５】
図９に示すように、練習用捕球具３の受球面３ａに保護シート２０を取り換え可能に取り付けることも好ましい。つまり、練習用捕球具３は、日々の練習で酷使され、その受球面３ａは他の部分と比較して破れや摩耗などの損傷が発生し易いので、保護シート２０を取り付けて破れや摩耗などの損傷を防止することが好ましい。また、このように保護シート２０を取り換え可能に構成すると、保護シート２０に損傷が発生する毎に該保護シート２０を交換することで、練習用捕球具３の受球面３ａを長期にわたって綺麗な状態に維持できる。
【００２６】
以上、本考案の実施形態について説明したが、本考案は前述した実施形態に何ら限定されるものではなく、本考案の要旨を逸脱しない範囲においてその構成を変更し得ることは勿論である。
【符号の説明】
【００２７】
１      野球用捕球具セット
２      試合用捕球具
３      練習用捕球具
３ａ    受球面
３ｂ    人工皮革部
４      収容箱
５      色むら
１０    牛革
１１    パーツ
１２    パーツ
１１Ｂ  パーツ
１２Ｂ  パーツ
２０    保護シート
【図１】
0003201479.tif 000003
【図２】
0003201479.tif 000004
【図３】
0003201479.tif 000005
【図４】
0003201479.tif 000006
【図５】
0003201479.tif 000007
【図６】
0003201479.tif 000008
【図７】
0003201479.tif 000009
【図８】
0003201479.tif 000010
【図９】
0003201479.tif 000011